(57)【要約】【課題】一般の人でも容易に配線できるようにする。【解決手段】車両盗難防止装置１０は、車両の各ドアに対応して設けられ、前記ドアの開閉を検出するドア開閉センサと、前記ドア開閉センサの出力信号が出力されるとともに、診断装置が接続される出力コネクタとを備えた車両の前記出力コネクタに接続する接続コネクタ１４と、前記接続コネクタ１４を介して前記ドア開閉センサの出力信号を読み込み、前記ドアが開放されたことを検知し、異常検出信号を出力する異常検出部１２と、前記異常検出部の出力した前記異常検出信号に基づいて、前記車両の周囲の人に前記車両の異常を報知する報知部４６と、を有する。【選択図】図１
2008168736.tif 000002
【特許請求の範囲】
【請求項１】
車両の各ドアに対応して設けられ、前記ドアの開閉を検出するドア開閉センサと、前記ドア開閉センサの出力信号が出力されるとともに、診断装置が接続される出力コネクタとを備えた車両の前記出力コネクタに接続する接続コネクタと、
前記接続コネクタを介して前記ドア開閉センサの出力信号を読み込み、前記ドアが開放されたことを検知し、異常検出信号を出力する異常検出部と、
前記異常検出部の出力した前記異常検出信号に基づいて、前記車両の周囲の人に前記車両の異常を報知する異常報知部と、
を有することを特徴とする車両盗難防止装置。
【請求項２】
請求項１に記載の車両盗難防止装置において、
前記異常報知部は、異常報知信号を無線信号にして送信する送信回路を有し、
前記車両の利用者が携帯可能であって、前記送信回路が送信した無線信号を受信する受信回路と、前記受信回路が前記異常報知信号を受信したときに、前記車両の異常を告知する告知部とを備えた受信ユニットを、
有することを特徴とする車両盗難防止装置。
【請求項３】
請求項１または２に記載の車両盗難防止装置において、
前記異常検出部は、
複数の車種のそれぞれに対応した信号解読ソフトを格納した解読ソフト記憶部と、
前記解読ソフト記憶部が格納している複数の信号解読ソフトから指定された信号解読ソフトを読み出す解読ソフト選択部と、
解読ソフト選択部が選択した前記信号解読ソフトに基づいて、車両ドアの開放信号を検出する異常信号検出部と、
を有することを特徴とする車両盗難防止装置。
【発明の詳細な説明】
【技術分野】
【０００１】
本発明は、駐車中の車両の盗難を防止する車両盗難防止装置に関する。
【背景技術】
【０００２】
駐車させておいた車両が盗まれたり、駐車中の車両のドアがこじ開けられて、車中の金品が盗まれたりする、いわゆる車上荒らしがしばしば発生する。このため、駐車中の車両に異常が生じたことを周囲に報知する車両盗難防止装置が各種開発されている。この車両盗難防止装置の１つに、車両ドアの開閉を検知して盗難を防止するものがある（例えば、特許文献１）。また、車両の購入後に、いわゆる後付けの盗難装置を設置することもしばしば行われている。
【０００３】
一方、車両には、車両を電子制御するために、各種のセンサと、多くの電子制御装置（電子制御ユニット）が設けてある。そして、近年は、電子制御ユニットに、車両に生じた異常の個所、異常データなどを記憶させておき、車両の点検、修理の際などに、ダイアグ（ダイアグノーシス）ツールと呼ばれる装置（診断装置）を用いて、電子制御ユニットに記憶させたデータを読み出し、またセンサの出力信号を読み取り、車両の機能に異常がないか診断を行なっている。この診断装置による診断は、車両に設けた出力コネクタ（いわゆるダイアグコネクタ）に診断装置を接続することにより行なわれる（例えば、特許文献２、特許文献３）。この出力コネクタおよび上記多数の電子制御ユニットは、ＣＡＮ（Controller Area Network）と呼ばれるシリアル通信プロトコルで相互に結ばれている。そして、車両ドアの施錠や開錠を制御する装置は、各車両ドアに対応して設けたドア開閉センサの出力信号を一定周期で読み取り、各車両ドアが閉まっていることを確認するとともに、読み取ったドア開閉センサの出力信号を前記出力コネクタに出力している。なお、前記診断装置を接続する出力コネクタは、車両の運転の邪魔とならないように、また容易に診断装置を接続できるように、一般に運転席の足元あたりであって、覗き込むと容易に見える位置に配設してある。
【特許文献１】特開２００３−６３３５５号公報
【特許文献２】特開平７−４３２５５号公報
【特許文献３】特開２００１−１５７５７号公報
【発明の開示】
【発明が解決しようとする課題】
【０００４】
特許文献１のように車両ドアの開閉を検知して車両の盗難を防止する後付けの車両盗難防止装置を車両に設置する場合、車両盗難防止装置を、車両の各ドアに設けたドア開閉センサに配線で接続する必要がある。このため、配線作業が極めて煩わしく、配線も煩雑になる。しかも、ドア開閉センサの設置位置は、自動車メーカや車種、年式（型式）などによって異なっているため、車両の整備士などによらなければ配線を容易に行なうことができない。また、車両に設けた電子制御ユニットの読み込み可能な信号や電子制御ユニットの出力信号、接続配線の色等が自動車メーカや車種、年式などによって異なっている。このため、後付けの盗難防止装置の設置は、一般の使用者では容易に配線することができない。
【０００５】
本発明は、前記従来技術の欠点を解消するためになされたもので一般の人でも配線できるようにすることを目的としている。
また、本発明は、容易に配線することができるようにすることを目的としている。
さらに、本発明は、車種によらずに用いることができるようにすることを目的としている。
【課題を解決するための手段】
【０００６】
上記目的を達成するために、本発明に係る車両盗難防止装置は、車両の各ドアに対応して設けられ、前記ドアの開閉を検出するドア開閉センサと、前記ドア開閉センサの出力信号が出力されるとともに、診断装置が接続される出力コネクタとを備えた車両の前記出力コネクタに接続する接続コネクタと、前記接続コネクタを介して前記ドア開閉センサの出力信号を読み込み、前記ドアが開放されたことを検知し、異常検出信号を出力する異常検出部と、前記異常検出部の出力した前記異常検出信号に基づいて、前記車両の周囲の人に前記車両の異常を報知する異常報知部と、を有することを特徴としている。
【０００７】
また、前記異常報知部は、異常報知信号を無線信号にして送信する送信回路を有し、前記車両の利用者が携帯可能であって、前記送信回路が送信した無線信号を受信する受信回路と、前記受信回路が前記異常報知信号を受信したときに、前記車両の異常を告知する告知部とを備えた受信ユニットを、有するようにできる。さらに、前記異常検出部は、複数の車種のそれぞれに対応した信号解読ソフトを格納した解読ソフト記憶部と、前記解読ソフト記憶部が格納している複数の信号解読ソフトから指定された信号解読ソフトを読み出す解読ソフト選択部と、解読ソフト選択部が選択した前記信号解読ソフトに基づいて、車両ドアの開放信号を検出する異常信号検出部と、を有するようにできる。
【発明の効果】
【０００８】
上記のようになっている本発明は、各ドア開閉センサの出力信号を読み出し可能な出力コネクタに、接続コネクタを介して異常検出部を接続するようになっているため、接続コネクタを接続する出力コネクタを容易に見出すことができ、一般の人でも容易に配線をすることができる。しかも、接続コネクタを車両に設けた出力コネクタに接続するだけでよいため、配線がきわめて容易である。さらに、利用者が携帯可能な受信ユニットに、無線により車両の異常を送信するようにしているため、車両の周囲に居る人ばかりでなく、車両から離れている利用者も車両に異常が生じたことを知ることができる。
【発明を実施するための最良の形態】
【０００９】
本発明に係る車両盗難装置の好ましい実施の形態を、添付図面に従って詳細に説明する。
図２は、本発明に係る車両盗難防止装置の概略構成図である。図２において、実施形態に係る車両盗難防止装置１０は、異常検出部１２と接続コネクタ１４と受信ユニット１６とから構成してある。接続コネクタ１４は、ケーブル１８によって異常検出部１２に接続してあり、異常検出部１２と一体になっている。接続コネクタ１４は、ＣＡＮに対応していて、車両２０に設けた出力コネクタ（ダイアグコネクタ）２２に着脱自在に接続される。そして、異常検出部１２は、後述するように、ドア開閉センサの出力信号に基づいて、車両２０に異常が生じたことを検出するもので接続コネクタ１４とともに車室内に配置される。
【００１０】
車両２０は、ボディー制御ユニット（ＢＣＵ）２４、エンジン制御ユニット（ＥＣＵ）２６、空調制御ユニット（エアコンＣＵ）２８のほか、図示しないパワーステアリング制御ユニット、トランスミッション制御ユニット、ブレーキシステム制御ユニットなどを装備している。また、ボディー制御ユニット２４には、複数のドア開閉センサ３０（３０ａ、３０ｂ、………３０ｎ）が接続してある。これらのドア開閉センサ３０は、車両２０の図示しない各ドア（例えば、運転席ドア、助手席ドア、後部座席ドア、後部荷物室ドア）に対応して設けてある。そして、各ドア開閉センサ３０は、対応したドアの開閉を検出できるようになっている。
【００１１】
ボディー制御ユニット２４は、各ドアに対応して設けた図示しないドアロック装置を制御し、各ドアの施錠または開錠をする。さらに、ボディー制御ユニット２４は、一定の周期で（例えば、１０ｍｓごとに）各ドア開閉センサ３０の出力信号を読み込み、各ドアがきちんと閉じられているかを監視するとともに、出力コネクタ２２に各ドア開閉センサ３０の出力信号を出力する。また、エンジン制御ユニット２６は、エンジンへの燃料噴射タイミング、燃料噴射量などを制御する。そして、空調制御ユニット２８は、車室内の温度を設定温度に保持することや、吹き出し風量などを制御する。
【００１２】
そして、各制御ユニット２４、２６、………は、ケーブル３２を介してＣＡＮによって相互に接続してあるとともに、出力コネクタ２２に接続してある。出力コネクタ２２は、いわゆるダイアグコネクタであって、車両２０の点検や修理の際などに、ダイアグツールと呼ばれる診断装置（図示せず）が接続される。
【００１３】
車両盗難防止装置１０を構成している異常検出部１２は、後述するように、複数の信号解読ソフトを記憶した解読ソフト記憶部を備えている。そして、異常検出部１２は、解読ソフト記憶部に記憶（格納）している複数の信号解読ソフトから所望の信号解読ソフトを選択できる解読ソフト選択部３４を有している。この解読ソフト選択部３４は、実施形態の場合、複数のディップスイッチなどによって構成してある。また、異常検出部１２は、送受信アンテナ３６が接続してあって、車両２０に異常が生じたときに、携帯可能な受信ユニット１６の送受信アンテナ３８に、車両２０の異常情報を無線信号４０にして送信できるようになっている。
【００１４】
また、異常検出部１２は、いわゆるリモコン（遠隔操作装置）のコントローラの役割を有し、受信ユニット１６は、遠隔操作装置の携帯用操作装置を構成している。実施形態の受信ユニット１６は、送受信アンテナ３８を備えるとともに、液晶パネルからなる表示部４２、複数のキースイッチなどからなる操作部４４、および「エンジン始動命令」、「ドアロック命令」などの複数のコマンドを記憶したコマンド記憶部（図示せず）などを有する。そして、利用者は、受信ユニット１６の操作部４４を操作することにより、異常検出部１２に各種のコマンドを送信し、エンジン（図示せず）の始動、停止、車両ドアのロック、アンロックなどができるようになっている。
【００１５】
また、異常検出部１２には、報知部４６が接続してある。報知部４６は、駐車させてある車両２０の周囲の人に車両２０に異常が生じたことを報知するもので、実施形態の場合、警報ランプ４８とブザー５０などからなる警報器とから構成してある。
【００１６】
異常検出部１２は、図１に示したように、接続コネクタ１４に接続した信号解読部（異常信号検出部）５２を有する。また、信号解読部５２は、解読ソフト設定部５４に接続してあるとともに、出力側が車両情報出力部（異常情報出力部）５６に接続してある。
【００１７】
解読ソフト設定部５４は、実施形態の場合、書き換え可能な不揮発性メモリによって構成してあり、解読ソフト選択部３４を介して解読ソフト記憶部５８に接続してある。解読ソフト記憶部５８には、車両２０の各電子制御ユニットが出力するシリアル信号を解読するための解読ソフトが各車種に対応させて記憶させてある。すなわち、ボディー制御ユニット２４やエンジン制御ユニット２６などの制御ユニットが読み込み可能な、または出力するシリアル信号は、車両の製造メーカ、車種、型式（年式）などによって異なっている。このため、例えば、ボディー制御ユニット２４が出力するドア開閉センサ３０の出力信号もメーカや車種によって異なる。そこで、実施形態においては、各車種に対応した信号解読ソフトを解読ソフト記憶部５８に記憶させておき、車両盗難防止装置１０を利用する車両２０に対応した信号解読ソフトを解読ソフト選択部３４によって選択できるようにしてある。
【００１８】
解読ソフト選択部３４によって選択した信号解読ソフトは、書き換え可能な不揮発性メモリから構成してある解読ソフト設定部５４に書き込まれ、信号解読部５２が解読ソフト設定部５４に書き込まれた信号解読ソフトを用いて接続コネクタ１４から入力したシリアル信号を解読し、駐車中の車両２０の異常を示す信号を検出する。そして、信号解読部５２は、解読した信号の内容を車両情報出力部５６に出力する。
【００１９】
車両情報出力部５６の出力側には、送信部６０と報知部４６とが接続してある。車両情報出力部５６は、信号解読部５２から車両ドアが開放されたなどの車両２０に異常が生じたことを示す信号が入力されると、報知部４６を構成している警報ランプ４８を点滅させ、またブザー５０などからなる警報器を作動させて警報音を発生させる。さらに、車両情報出力部５６は、送信部６０を作動して異常の内容を送受信アンテナ３６から無線信号４０として送信させる。
【００２０】
この無線信号４０は、受信ユニット１６の受信部６２において送受信アンテナ３８を介して受信される。受信部６２は、無線信号４０として受信した異常の内容を表示回路６４に出力し、表示回路６４を介して表示部４２に表示させるとともに、告知部６６を作動し、受信ユニット１６の携帯者または受信ユニット１６の近くに居る人に、車両２０に異常が発生したことを告知する。告知部６６は、実施形態の場合、報知部４６と同様に警報ランプとブザーなどの警報器とから構成してある（いずれも図示せず）。
【００２１】
なお、受信ユニット１６には、操作部４４によって選択される例えば「エンジン始動命令」、「ドア開錠命令」などの複数のコマンド（命令）を記憶したコマンド記憶部を有している。また、異常検出部１２には、送受信アンテナ３６に接続した受信部６８を介してコマンド解読部７０が接続してある。コマンド解読部７０は、受信ユニット１６から無線信号４０として受信したコマンドの内容を解読し、信号解読部５２または信号変換部７２に出力する。また、プログラム選択部７６は、解読ソフト設定部５４と連動しており、解読ソフト設定部５４により解読ソフト記憶部５８から読み出すべき信号解読ソフトを指定すると、プログラム選択部７６は、その信号解読ソフトに対応した信号変換プログラムをプログラム記憶部７８から読み出して、プログラム設定部７４に書き込む。
【００２２】
信号変換部７２には、プログラム設定部７４が接続してある。プログラム設定部７４は、解読ソフト設定部５４と同様に、書き換え可能な不揮発性メモリによって構成してあり、プログラム選択部７６がプログラム記憶部７８から読み出した車両２０に対応した信号変換プログラムが書き込まれる。プログラム記憶部７８には、複数の車種のそれぞれに対応した信号変換プログラムが記憶させてある。そして、信号変換部７２は、受信ユニット１６からのコマンドを、車両２０の電子制御ユニットが読み込み可能なシリアル信号に変換して接続コネクタ１４に出力する。
【００２３】
このようになっている実施形態の作用は、次のとおりである。異常検出部１２の解読ソフト記憶部５８とプログラム記憶部７８とには、予め複数の車種のそれぞれに対応させた複数の信号解読ソフトと信号変換プログラムとが記憶させてある。車両盗難防止装置１０の利用者は、解読ソフト選択部３４を介して、異常検出部１２を装着する車種に対応した所望の信号解読ソフトを解読ソフト記憶部５８から選択する。例えば、解読ソフト選択部３４が複数のディップスイッチによって構成してある場合、所定のディップスイッチをオン、または複数のディップスイッチの組み合わせをオンする。異常検出部１２は、電気が供給されると、解読ソフト選択部３４が選択（指定）された信号解読ソフトを解読ソフト記憶部５８から読み出して解読ソフト設定部５４に書き込むとともに、プログラム選択部７６が選択された信号解読ソフトに対応した信号変換プログラムを、プログラム記憶部７８から読み出してプログラム設定部７４に書き込む。
【００２４】
その後、車両盗難防止装置１０の異常検出部１２と一体の接続コネクタ１４を、車両２０に装備してあるダイアグコネクタである出力コネクタ２２に接続する。出力コネクタ２２は、前記したように車両運転席の足元あたりの見える位置に配設してある。したがって、利用者は、接続コネクタ１４を接続する出力コネクタ２２を容易に見出すことができる。しかも、車両盗難防止装置１０の接続コネクタ１４を車両２０の出力コネクタ２２に接続するだけでよいため、配線が容易で、わかりやすく、一般の利用者であっても、容易、簡単に配線（コネクタの接続）を行なうことができる。しかも、出力コネクタ２２と接続コネクタ１４との接続は、着脱自在であるので、車両２０の点検や修理の際に、出力コネクタ２２に診断装置を接続する場合、診断装置を出力コネクタ２２に接続するのにほとんど障害となることがない。
【００２５】
例えば、車両２０がドアや窓がロックされている状態で駐車させてある場合、何者かが車両の窃盗や車上荒らしを目的として、車両ドアのいずれかをこじ開けたとする。ドアが開けられると、そのドアに対応したドア開閉センサ３０は、ドアが開放されたことを示す信号を出力する。車両２０に設けたボディー制御ユニット２４は、所定の周期、例えば１０ｍｓごとに各ドア開閉センサ３０の出力信号を読み込み、各ドアが閉じていることを確認するとともに、ドア開閉センサ３０の出力信号を出力コネクタに出力する。したがって、ドア開閉センサ３０のドアが開放されたことを示す信号も出力コネクタ２２に出力される。
【００２６】
ドア開閉センサ３０のドアが開放されたことを示す信号は、出力コネクタ２２に接続した接続コネクタ１４を介して、異常検出部１２を構成している信号解読部５２に入力する。信号解読部５２は、解読ソフト設定部５４に書き込まれた信号解読ソフトを用い、接続コネクタ１４から入力された信号が何を意味する信号なのかを解読する。信号解読部５２は、接続コネクタ１４を介して入力された信号がドア開閉センサ３０のドア開放信号であることを検出すると、車両２０のどのドアが開放されたかを車両情報出力部５６に出力する。
【００２７】
車両情報出力部５６は、信号解読部５２からドアが開放されたとの異常発生の信号を受けると、報知部４６に作動信号を送出して警報ランプ４８を点滅するとともに、ブザー５０により警報を鳴らす。また、車両情報出力部５６は、送信部６０に信号を与えて送信部６０を駆動し、送受信アンテナ３６を介して送信部６０に車両２０のどのドアが開放されたかを示す無線信号４０を送信させる。
【００２８】
このドア開放情報を含んだ無線信号４０は、受信ユニット１６の受信部６２に、送受信アンテナ３８を介して受信される。受信部６２は、告知部６６を作動して受信ユニット１６の携帯者または受信ユニット１６の近傍に居る人に車両２０に異常が生じたことを告知するとともに、表示回路６４にドア開放情報を出力し、車両２０のどのドアが開放されたかを表示部４２に表示する。
【００２９】
これにより、駐車中の車両２０に周囲の人の目が向けられるため、車両２０を盗もうとした人や車上荒らしをしようとした人の、車両２０の窃盗や車上荒らしを断念させることができる。また、車両２０の所有者などの受信ユニット１６を携帯している人は、車両２０から離れている場合であっても、受信ユニット１６によって車両２０の安全を確認でき、車両２０に異常が生じたことを知ることができる。
【００３０】
一方、受信ユニット１６を携帯している人がエンジンを遠隔で始動させたい場合、受信ユニット１６の操作部４４を操作して「エンジン始動命令」のコマンドを選択し、無線信号４０を異常検出部１２に送信する。この無線信号４０は、受信部６８を介してコマンド解読部７０に入力する。コマンド解読部７０は、入力したコマンドが「エンジン始動命令」である場合、そのコマンドを信号変換部７２に転送する。信号変換部７２は、プログラム設定部７４に書き込まれている信号変換プログラムを用いて「エンジン始動命令」を車両２０のエンジン制御ユニット２６が読み込み可能なシリアル信号に変換して接続コネクタ１４に出力する。エンジン制御ユニット２６は、コマンドにしたがってエンジンを始動する。
【００３１】
また、受信ユニット１６を携帯している人が、例えば車両ドアのロックを遠隔で確認したい場合、受信ユニット１６の操作部４４によって「ドアロック確認命令」を出力する。異常検出部１２のコマンド解読部７０は、前記と同様に、入力コマンド信号を解読し、「ドアロック確認命令」を信号解読部５２に与える。信号解読部５２は、ボディー制御ユニット２４の出力するドアロック装置の出力信号から、ドアがロックされているかアンロックであるかを車両情報出力部５６に出力する。車両情報出力部５６は、その情報を無線信号４０として受信ユニット１０に送信する。この情報は、受信ユニット１６の表示部４２に表示される。そして、受信ユニット１６は、車両ドアアンロックの情報が入力されると、図示しないコマンド読み出し部にドアアンロック情報が入力する。コマンド読み出し部は、ドアアンロック情報を受け取ると、自動的に図示しないコマンド記憶部からドアロック命令を読み出し、送信部（図示せず）に「ドアロック命令」を送信させる。このコマンドを受けた異常検出部１２の信号変換部７２は、ボディー制御ユニット２４にドアをロックさせる信号を出力する。これにより、受信ユニット１６の携帯者は、車両２０から離れていても、車両ドアの施錠、開錠、車両ドアが閉じているか、開放されているかなどを知ることができる。また、受信ユニット１６の携帯者は、車両ドアがアンロックであるときに、ドアがロックされているかを確認するだけで、ドアをロック（施錠）することができる。
【００３２】
なお、前記実施形態は、本発明の一態様であって、上記実施形態に限定されるものではない。例えば、前記実施形態においては、受信ユニット１６を有する場合について説明したが、受信ユニット１６は設けなくともよい。そして、前記実施形態においては、受信ユニット１６が遠隔操作機能を有する場合について説明したが、受信ユニット１６は遠隔操作機能を備えていなくてもよい。
【図面の簡単な説明】
【００３３】
【図１】本発明の実施の形態に係る車両盗難防止装置のブロック図である。
【図２】本発明の実施の形態に係る車両盗難防止装置の概略構成図である。
【符号の説明】
【００３４】
１０………車両盗難防止装置、１２………異常検出部、１４………接続コネクタ、１６………受信ユニット、２０………車両、２２………出力コネクタ、３０ａ、３０ｂ、３０ｎ………ドア開閉センサ、３４………解読ソフト選択部、４８………警報ランプ、５０………ブザー、５２………信号解読部、５６………車両情報出力部、５８………解読ソフト記憶部、６６………告知部。
【図１】
2008168736.tif 000003
【図２】
2008168736.tif 000004